【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
コンピューティングデバイスによるテキストおよび非テキストの要素を含む図の手書き接続のためのシステムであって、
前記コンピューティングデバイスは、プロセッサと、前記プロセッサの制御の下に入力された手書き図要素を検出し認識するための少なくとも１つの非一時的なコンピューター読み取り可能な媒体とを備え、前記少なくとも１つの非一時的なコンピューター読み取り可能な媒体は、
前記コンピューティングデバイスに関連付けられたディスプレイデバイス上にインタラクティブインクにおける複数の入力された図要素の表示を引き起こし、
複数の図要素を接続する、中心でないまたは交差したコネクタとして少なくとも１つの図要素を識別し、各図要素は、ジオメトリの中心を有し、前記中心でないまたは交差したコネクタは、前記接続された図要素のジオメトリの前記中心から零でないオフセットによりオフセットされる接続パスを定義し、
前記少なくとも１つの識別されたコネクタに関連付けられた寸法補助線、点、および方向のうちの少なくとも１つを決定し、
前記少なくとも１つの識別された、中心でないまたは交差したコネクタの前記インタラクティブインク、または接続された前記複数の図要素のうちの１つ若しくは複数により受け取られた１つまたは複数のインタラクションに基づいて前記図要素の再表示を引き起こし、それにより、および前記零でないオフセットと、前記決定された少なくとも１つの寸法補助線、点、および方向の位置とに従って、前記決定された少なくとも１つの寸法補助線、点、および方向の前記位置は、図要素が再表示されると更新される
ように構成され、
前記少なくとも１つの識別されたコネクタに関連付けられた寸法補助線、点、および方向のうちの前記少なくとも１つの向きは、参照のコネクタによって形成される角度に基づいて決定され、前記参照のコネクタは、前記複数の図要素のうちの前記少なくとも１つの図要素のジオメトリの中心に最も近く接続されることを特徴とするシステム。
【請求項２】
前記少なくとも１つのコネクタは、前記コネクタの特性、および前記図要素の間の位置関係に基づいて識別されることを特徴とする請求項１に記載のシステム。
【請求項３】
前記少なくとも１つの識別されたコネクタに関連付けられた前記少なくとも１つの寸法補助線、点、および方向は、前記接続された図要素のジオメトリ特徴の間における接続パスに関係のあることを特徴とする請求項１に記載のシステム。
【請求項４】
ジオメトリの前記中心は、前記接続された図要素の前記ジオメトリ特徴のうちの１つであることを特徴とする請求項３に記載のシステム。
【請求項５】
前記少なくとも１つの非一時なコンピューター読み取り可能な媒体は、前記少なくとも１つの識別されたコネクタに関連付けられた前記少なくとも１つの寸法補助線、点、および方向を決定し、前記接続された図要素による前記少なくとも１つのコネクタについての接続の点の間における関係を含むように構成されることを特徴とする請求項４に記載のシステム。
【請求項６】
前記接続パスは、接続の前記点に基づいて、前記接続された図要素のジオメトリの前記中心からオフセットされることを特徴とする請求項５に記載のシステム。
【請求項７】
前記インタラクティブインクは、デジタルインクであることを特徴とする請求項１に記載のシステム。
【請求項８】
コンピューティングデバイスによるテキストおよび非テキストの要素を含む図を手書きするための方法であって、
前記コンピューティングデバイスは、プロセッサと、前記プロセッサの制御の下に入力された手書き図要素を検出し認識するための少なくとも１つの非一時的なコンピューター読み取り可能な媒体とを備え、前記方法は、
前記コンピューティングデバイスに関連付けられたディスプレイデバイス上にインタラクティブインクにおける複数の入力された図要素を表示するステップと、
複数の図要素を接続する、中心でないまたは交差したコネクタとして少なくとも１つの図要素を識別するステップであって、各図要素は、ジオメトリの中心を有し、前記中心でないまたは交差したコネクタは、前記接続された図要素のジオメトリの前記中心から零でないオフセットによりオフセットされる接続パスを定義する、ステップと、
前記少なくとも１つの識別されたコネクタに関連付けられた寸法補助線、点、および方向のうちの少なくとも１つを決定するステップと、
前記少なくとも１つの識別された、中心でないまたは交差したコネクタの前記インタラクティブインク、または接続された前記複数の図要素のうちの１つ若しくは複数により受け取られた１つまたは複数のインタラクションに基づいて前記図要素を再表示し、それにより、および前記零でないオフセットと、前記決定された少なくとも１つの寸法補助線、点、および方向の位置とに従って、前記決定された少なくとも１つの寸法補助線、点、および方向の前記位置は、前記図要素が再表示されると更新されるステップと
を備え、
前記少なくとも１つの識別されたコネクタに関連付けられた寸法補助線、点、および方向のうちの前記少なくとも１つの向きは、参照のコネクタによって形成される角度に基づいて決定され、前記参照のコネクタは、前記複数の図要素のうちの前記少なくとも１つの図要素のジオメトリの中心に最も近く接続されることを特徴とする方法。
【請求項９】
前記コネクタの特性、および前記図要素の間の位置関係に基づいて、前記少なくとも１つのコネクタを識別するステップを備えることを特徴とする請求項８に記載の方法。
【請求項１０】
前記少なくとも１つの識別されたコネクタに関連付けられた前記少なくとも１つの寸法補助線、点、および方向は、前記接続された図要素のジオメトリ特徴の間における接続パスに関係のあることを特徴とする請求項８に記載の方法。
【請求項１１】
ジオメトリの前記中心は、前記接続された図要素の前記ジオメトリ特徴のうちの１つであることを特徴とする請求項１０に記載の方法。
【請求項１２】
前記少なくとも１つの識別されたコネクタに関連付けられた前記少なくとも１つの寸法補助線、点、および方向は、前記接続された図要素による前記少なくとも１つのコネクタについての接続の点の間における関係を含むために決定されることを特徴とする請求項１１に記載の方法。
【請求項１３】
前記接続パスは、接続の前記点に基づいて、前記接続された図要素のジオメトリの前記中心からオフセットされることを特徴とする請求項１２に記載の方法。
【請求項１４】
前記インタラクティブインクは、デジタルインクであることを特徴とする請求項８に記載の方法。
【請求項１５】
具現されたコンピューター読み取り可能なプログラムコードを有する非一時的なコンピューター読み取り可能な媒体であって、
前記コンピューター読み取り可能なプログラムコードは、コンピューティングデバイスによるテキストおよび非テキストの要素を含む図を手書きするための方法を実装するために実行されるように適合され、前記コンピューティングデバイスは、プロセッサと、前記プロセッサの制御の下に入力された手書き図要素を検出し認識するための少なくとも１つの非一時的なコンピューター読み取り可能な媒体とを備え、前記方法は、
前記コンピューティングデバイスに関連付けられたディスプレイデバイス上にインタラクティブインクにおける複数の入力された図要素を表示するステップと、
複数の図要素を接続する、中心でないまたは交差したコネクタとして少なくとも１つの図要素を識別するステップであって、各図要素は、ジオメトリの中心を有し、前記中心でないまたは交差したコネクタは、前記接続された図要素のジオメトリの前記中心から零でないオフセットによりオフセットされる接続パスを定義する、ステップと、
前記少なくとも１つの識別されたコネクタに関連付けられた寸法補助線、点、および方向のうちの少なくとも１つを決定するステップと、
前記少なくとも１つの識別された、中心でないまたは交差したコネクタの前記インタラクティブインク、または接続された前記複数の図要素のうちの１つ若しくは複数により受け取られた１つまたは複数のインタラクションに基づいて前記図要素を再表示し、それにより、および前記零でないオフセットと、前記決定された少なくとも１つの寸法補助線、点、および方向の位置とに従って、前記決定された少なくとも１つの寸法補助線、点、および方向の前記位置は、前記図要素が再表示されると更新されるステップと
を備え、
前記少なくとも１つの識別されたコネクタに関連付けられた寸法補助線、点、および方向のうちの前記少なくとも１つの向きは、参照のコネクタによって形成される角度に基づいて決定され、前記参照のコネクタは、前記複数の図要素のうちの前記少なくとも１つの図要素のジオメトリの中心に最も近く接続されることを特徴とする非一時的なコンピューター読み取り可能な媒体。
【請求項１６】
前記コネクタの特性、および前記図要素の間の位置関係に基づいて、前記少なくとも１つのコネクタを識別するステップを備えることを特徴とする請求項１５に記載の非一時的なコンピューター読み取り可能な媒体。
【請求項１７】
前記少なくとも１つの識別されたコネクタに関連付けられた少なくとも１つの寸法補助線、点、および方向は、前記接続された図要素のジオメトリ特徴の間における接続パスを含むことを特徴とする請求項１５に記載の非一時的なコンピューター読み取り可能な媒体。
【請求項１８】
ジオメトリの前記中心は、前記接続された図要素の前記ジオメトリ特徴のうちの１つであることを特徴とする請求項１７に記載の非一時的なコンピューター読み取り可能な媒体。
【請求項１９】
前記少なくとも１つの識別されたコネクタに関連付けられた前記少なくとも１つの寸法補助線、点、および方向は、前記接続された図要素による前記少なくとも１つのコネクタについての接続の点の間における関係を含むために決定されることを特徴とする請求項１８に記載の非一時的なコンピューター読み取り可能な媒体。
【請求項２０】
前記接続パスは、接続の前記点に基づいて、前記接続された図要素のジオメトリの前記中心からオフセットされることを特徴とする請求項１９に記載の非一時的なコンピューター読み取り可能な媒体。
【請求項２１】
前記インタラクティブインクは、デジタルインクであることを特徴とする請求項１５に記載の非一時的なコンピューター読み取り可能な媒体。